(57)【要約】【課題】かつらベース及びかつらにおいて、かつら装着者の頭部とかつらとの境界部分を視認されにくくする。【解決手段】かつらベース１は、毛髪１０１が植毛されるかつらベース本体１０と、このかつらベース本体１０から長手方向が突出方向（矢印Ｄ）となるように突出し、可撓性を有し、毛髪１０１が植毛される複数の突出部２１と、を備える。また、かつら１００は、かつらベース１と、このかつらベース１に植毛された毛髪１０１と、を備える。【選択図】図１Ａ
2015096659.tif 000002
【特許請求の範囲】
【請求項１】
毛髪が植毛されるかつらベース本体と、
前記かつらベース本体から長手方向が突出方向となるように突出し、可撓性を有し、前記毛髪が植毛される複数の突出部と、
を備えることを特徴とするかつらベース。
【請求項２】
前記突出部は、前記かつらベース本体の周縁から突出することを特徴とする請求項１記載のかつらベース。
【請求項３】
前記複数の突出部は、線状又は帯状を呈することを特徴とする請求項１又は２記載のかつらベース。
【請求項４】
前記複数の突出部は、前記かつらベース本体と別体に配置されていることを特徴とする請求項１から請求項３のいずれか１項記載のかつらベース。
【請求項５】
前記複数の突出部と前記複数の突出部の一端が固定されたベース部とを有する突出部結合体を備えることを特徴とする請求項４記載のかつらベース。
【請求項６】
前記かつらベース本体は、地毛引き出し領域である開口部を有し、
前記突出部は、前記開口部に位置する、
ことを特徴とする請求項４又は５記載のかつらベース。
【請求項７】
前記複数の突出部は、線状を呈し、
前記複数の突出部の先端には、膨出部が形成されている、
ことを特徴とする請求項４から請求項６のいずれか１項記載のかつらベース。
【請求項８】
前記複数の突出部は、前記かつらベース本体の前記周縁に設けられた複数の切り込みにより前記かつらベース本体と一体に帯状に形成されていることを特徴とする請求項１から請求項３のいずれか１項記載のかつらベース。
【請求項９】
前記複数の突出部は、第１の突出部と、前記第１の突出部よりも長さの短い第２の突出部と、を含むことを特徴とする請求項１から請求項８のいずれか１項記載のかつらベース。
【請求項１０】
前記複数の突出部は、前記第１の突出部の先端により形成される凸部と、前記第２の突出部の先端により形成される凹部とが設けられるように配置されていることを特徴とする請求項９記載のかつらベース。
【請求項１１】
請求項１から請求項１０のいずれか１項記載のかつらベースと、
前記かつらベースに植毛された前記毛髪と、
を備えることを特徴とするかつら。
【発明の詳細な説明】
【技術分野】
【０００１】
本発明は、毛髪が植毛されるかつらベース、及び、かつらベースと毛髪とを備えるかつらに関する。
【背景技術】
【０００２】
従来のかつらにおいて、かつらを装着した際に、かつら装着者の頭部（地毛或いは地肌）とかつら（かつらの毛髪或いはかつらベース）との境界部分が視認されてしまうという問題が存在する。
【０００３】
その原因の１つとしては、かつらに植毛された毛髪と地毛とがうまく混在していないため、不自然な形でかつらの毛髪が浮いたり、跳ね上がったりすることが挙げられる。
そこで、かつらベースの周縁が凹凸形状に形成されたかつらが知られている（例えば、特許文献１参照）。
【０００４】
また、かつらの後頭部の表側及び裏側の両方に毛髪を植毛する技術が知られている（例えば、特許文献２参照）。
なお、上記の従来技術との関連性が高くない他の従来技術ではあるが、線状のフレームにより形成されるかつら（例えば、特許文献３〜５参照）や、かつらベースの開口部に地毛を係止する毛髪係止部材を配置したかつら（例えば、特許文献６参照）が知られている。
【先行技術文献】
【特許文献】
【０００５】
【特許文献１】特開２００７−１８６８１９号公報
【特許文献２】特開２００２−４１２３号公報
【特許文献３】特開２０１２−８２５５６号公報
【特許文献４】特開２００５−３２５５０８号公報
【特許文献５】特表平４−５０５１８８号公報
【特許文献６】特許第５０８０８２１号公報
【発明の概要】
【発明が解決しようとする課題】
【０００６】
ところで、かつら装着者の頭部とかつらとの境界部分が視認されてしまうという上記問題の他の原因として、かつらベースの周縁が浮き上がることが挙げられる。また、かつらベースの周縁以外の部分が浮き上がることも上記問題の原因となりうる。例えば、かつらベースの周縁以外の部分においても、かつらベースの地毛引き出し領域である開口部から引き出される地毛とかつらの毛髪との境界部分が視認されうる。
【０００７】
そのため、上記のように、かつらベースの周縁を凹凸形状としたり、かつらの後頭部の表側及び裏側の両方に毛髪を植毛したりしても、かつらベースの周縁や周縁以外の部分の浮き上がりに起因して、かつら装着者の頭部とかつらとの境界部分が視認されてしまうことがあった。
【０００８】
本発明の目的は、かつら装着者の頭部とかつらとの境界部分を視認されにくくすることができるかつらベース及びかつらを提供することである。
【課題を解決するための手段】
【０００９】
１つの観点では、かつらベースは、毛髪が植毛されるかつらベース本体と、前記かつらベース本体から長手方向が突出方向となるように突出し、可撓性を有し、前記毛髪が植毛される複数の突出部と、を備える。
【００１０】
また、前記かつらベースにおいて、前記突出部は、前記かつらベース本体の周縁から突出するようにしてもよい。
また、前記かつらベースにおいて、前記複数の突出部は、線状又は帯状を呈するようにしてもよい。
【００１１】
また、前記かつらベースにおいて、前記複数の突出部は、前記かつらベース本体と別体に配置されているようにしてもよい。
また、前記かつらベースにおいて、前記複数の突出部と前記複数の突出部の一端が固定されたベース部とを有する突出部結合体を備えるようにしてもよい。
【００１２】
また、前記かつらベースにおいて、前記かつらベース本体は、地毛引き出し領域である開口部を有し、前記突出部は、前記開口部に位置するようにしてもよい。
また、前記かつらベースにおいて、前記複数の突出部は、線状を呈し、前記複数の突出部の先端には、膨出部が形成されているようにしてもよい。
【００１３】
また、前記かつらベースにおいて、前記複数の突出部は、前記かつらベース本体の前記周縁に設けられた複数の切り込みにより前記かつらベース本体と一体に帯状に形成されているようにしてもよい。
【００１４】
また、前記かつらベースにおいて、前記複数の突出部は、第１の突出部と、前記第１の突出部よりも長さの短い第２の突出部と、を含むようにしてもよい。
また、前記かつらベースにおいて、前記複数の突出部は、前記第１の突出部の先端により形成される凸部と、前記第２の突出部の先端により形成される凹部とが設けられるように配置されているようにしてもよい
１つの観点では、かつらは、前記かつらベースと、前記かつらベースに植毛された前記毛髪と、を備える。
【発明の効果】
【００１５】
本発明によれば、かつら装着者の頭部とかつらとの境界部分を視認されにくくすることができる。
【図面の簡単な説明】
【００１６】
【図１Ａ】本発明の第１実施形態に係るかつらを示す右側面図である。
【図１Ｂ】本発明の第１実施形態に係るかつらを示す底面図である。
【図１Ｃ】図１ＡのＡ部拡大図である。
【図２】本発明の第１実施形態の変形例に係るかつらを示す右側面図である。
【図３】本発明の第２実施形態に係るかつらを示す右側面図である。
【図４】本発明の第２実施形態の変形例に係るかつらを示す右側面図である。
【図５】本発明の第３実施形態に係るかつらを示す平面図である。
【発明を実施するための形態】
【００１７】
以下、本発明の実施の形態に係るかつらベース及びかつらについて、図面を参照しながら説明する。
＜第１実施形態＞
図１Ａ及び図１Ｂは、本発明の第１実施形態に係るかつら１００を示す右側面図及び底面図である。
【００１８】
図１Ｃは、図１ＡのＡ部拡大図である。
図１Ａ及び図１Ｂに示すかつら１００は、かつらベース１と、このかつらベース１に植毛された毛髪１０１と、を備える。なお、図１Ａ及び図１Ｂにおいて、かつらベース１を見えやすくするため、毛髪１０１は、４本のみ図示する。毛髪１０１は、かつらベース１に対し、例えば、結着、接着などの任意の手法により植毛される。
【００１９】
かつらベース１は、かつらベース本体１０と、このかつらベース本体１０とは別体に配置された突出部結合体２０と、を備える。
かつらベース本体１０は、中央部１１と、左側頭部１２と、後頭部１３と、右側頭部１４（図１Ｂ参照）と、生え際部１５と、を有する。中央部１１、左側頭部１２、後頭部１３、右側頭部１４、及び生え際部１５のそれぞれには、毛髪１０１が植毛される。
【００２０】
中央部１１、左側頭部１２、後頭部１３、右側頭部１４、及び生え際部１５は、それぞれ周縁において隣接する各部に接合されている。各部の区別がなく一体に成形されるかつらベース本体１０を用いてもよいが、各部を接合することにより、かつらベース本体１０の曲面形状を容易に形成することができる。
【００２１】
中央部１１には、かつら１００のつむじ部分や分け目部分が形成される。左側頭部１２、後頭部１３、右側頭部１４、及び生え際部１５は、中央部１１を取り囲むように位置する。
【００２２】
あくまで一例ではあるが、中央部１１、左側頭部１２、後頭部１３、及び右側頭部１４は、互いに同一の材料により形成された黒色のネットである。そして、生え際部１５は、地肌の色と同様の色に形成されており、網目が細かいネットか或いは網目のない人工皮膚である。
【００２３】
突出部結合体２０は、複数の突出部２１と、ベース部２２と、を有する。
複数の突出部２１は、一端をベース部２２に固定されている。突出部２１は、例えば、紐などの線状の部材である。突出部２１のベース部２２に対する固定は、例えば、縫い付け、接着などの任意の手法により行われればよい。突出部２１の剛性を確保するために、突出部２１の表面は、樹脂によりコーティングされているとよい。
【００２４】
また、突出部２１は、可撓性を有する。可撓性のある突出部２１は、金属材料により形成されるのは望ましくなく、突出部２１の自重と同一の力で弾性変形するのが望ましい。
突出部２１の材料は、特に制限されないが、ポリエステルやナイロンが一例として挙げられる。なお、一例ではあるが、図１Ａ及び図１Ｂに示す突出部２１の長さは、２〜３ｃｍである。また、突出部２１の長さは、ベース部２２における突出部２１の固定間隔（中心間距離）よりも長いことが望ましい。
【００２５】
ベース部２２は、帯状を呈し、左側頭部１２と、後頭部１３と、右側頭部１４とにおけるかつらベース本体１０の周縁に亘って固定されている。このベース部２２のかつらベース本体１０に対する固定も、例えば、縫い付け、接着などの任意の手法により行われればよい。
【００２６】
突出部結合体２０がかつらベース本体１０に取り付けられた状態で、複数の突出部２１は、かつらベース本体１０の周縁から垂れ下がるように突出する。そして、複数の突出部２１は、長手方向が突出方向（矢印Ｄ）である。また、突出部２１は、かつらベース本体１０の周縁から垂れ下がるため、突出方向（矢印Ｄ）は鉛直下方であるが、かつら１００が装着者に装着された状態では、装着者の頭部形状に沿う方向となる。
【００２７】
図１Ｃに示すように、突出部２１には、例えば２箇所に毛髪１０１が植毛される。この毛髪１０１は、例えば１本の線材が突出部２１に結び付けられることで（結び目１０１ａ）、結び目を挟んだ両側で２本の毛髪１０１となる。なお、突出部２１における毛髪１０１の植毛箇所は、１箇所であっても、３箇所以上であってもよい。また、１本の線材から１本の毛髪１０１が形成されていてもよい。
【００２８】
突出部２１は、毛髪１０１の結び目１０１ａが滑って毛髪１０１が抜け落ちないように、先端に膨出部２１ａが形成されている。この膨出部２１ａは、突出部２１の長手方向に直交する断面の面積が他の部分よりも大きくなっていればよく、例えば、球状、半球状、楕円球状、半楕円球状、円板状を呈する。一例ではあるが、膨出部２１ａは、樹脂のコーティング量を他の部分より増やすこと、或いは、膨出部２１ａのみに樹脂をコーティングすることにより形成するとよい。
【００２９】
以上説明した第１実施形態では、かつらベース１は、毛髪１０１が植毛されるかつらベース本体１０と、毛髪１０１が植毛される複数の突出部２１と、を備える。複数の突出部２１は、かつらベース本体１０から長手方向が突出方向（矢印Ｄ）となるように突出し、可撓性を有する。
【００３０】
そのため、毛髪１０１が植毛される突出部２１が浮き上がるのを防止することができる。よって、本実施形態によれば、突出部２１を、かつらベース本体１０の周縁などに配置することで、かつら装着者の頭部とかつら１００との境界部分を視認されにくくすることができる。
【００３１】
また、本実施形態では、突出部２１は、かつらベース本体１０の周縁から突出する。そのため、最も浮き上がりが生じやすいかつらベース本体１０の周縁における浮き上がりを防止することができる。したがって、かつら装着者の頭部とかつら１００との境界部分を、より一層視認されにくくすることができる。
【００３２】
また、本実施形態では、複数の突出部２１は、線状を呈する。そのため、幅が小さい突出部２１を目立ちにくくすることができる。したがって、かつら装着者の頭部とかつら１００との境界部分を、より一層視認されにくくすることができる。
【００３３】
また、本実施形態では、複数の突出部２１は、かつらベース本体１０と別体に配置されている。そのため、突出部２１をかつらベース本体１０とは独立して製造することで、線状などの目立ちにくい突出部２１を製造しやすくすることができる。したがって、かつら装着者の頭部とかつら１００との境界部分を、より一層視認されにくくすることができる。
【００３４】
また、本実施形態では、突出部結合体２０は、複数の突出部２１と、複数の突出部２１の一端が固定されたベース部２２とを有する。そのため、簡素な構造で、かつらベース本体１０と別体の突出部２１を形成することができる。
【００３５】
また、本実施形態では、複数の突出部２１は線状を呈し、複数の突出部２１の先端には膨出部２１ａが形成されている。そのため、突出部２１に植毛された毛髪１０１が突出部２１から抜け落ちるのを防止することができる。したがって、かつら装着者の頭部とかつら１００との境界部分を、より一層視認されにくくすることができる。
【００３６】
＜第１実施形態の変形例＞
図２は、本発明の第１実施形態の変形例に係るかつら１００−１を示す右側面図である。
【００３７】
本変形例のかつらベース１−１及びかつら１００−１は、突出部結合体３０に長さが異なる第１の突出部３１−１及び第２の突出部３１−２が配置されていること以外、図１Ａ及び図１Ｂに示すかつらベース１及びかつら１００と共通する。そのため、相違点のみについて説明する。
【００３８】
図２に示す突出部結合体３０は、複数の突出部３１−１，３１−２と、ベース部３２と、を有する。
複数の突出部３１−１，３１−２は、第１の突出部３１−１と、この第１の突出部３１−１よりも長さの短い第２の突出部３１−２と、を含む。
【００３９】
複数の突出部３１−１，３１−２は、第１の突出部３１−１の先端により形成される凸部３１ａと、第２の突出部３１−２の先端により形成される凹部３１ｂとが設けられるように配置されている。例えば、１本又は複数本の第１の突出部３１−１の先端により形成される凸部３１ａと、１本又は複数本の第２の突出部３１−２の先端により形成される凹部３１ｂとは、交互に連続するように位置する。
【００４０】
なお、一例ではあるが、図２に示す第１の突出部３１−１の長さは、２〜３ｃｍであり、第２の突出部３１−２の長さは、それ以下である。少なくとも第１の突出部３１−１の長さは、ベース部３２における突出部（第１の突出部３１−１又は第２の突出部３１−２）の固定間隔（中心間距離）よりも長いことが望ましい。
【００４１】
以上説明した第１実施形態の変形例では、複数の突出部３１−１，３１−２は、第１の突出部３１−１と、この第１の突出部３１−１よりも長さの短い第２の突出部３１−２と、を含む。そのため、突出部３１−１，３１−２を目立ちにくくすることができる。したがって、かつら装着者の頭部とかつら１００−１との境界部分を、より一層視認されにくくすることができる。
【００４２】
また、本変形例では、複数の突出部３１−１，３１−２は、第１の突出部３１−１の先端により形成される凸部３１ａと、第２の突出部３１−２の先端により形成される凹部３１ｂとが設けられるように配置されている。そのため、突出部３１−１，３１−２を更に目立ちにくくすることができる。したがって、かつら装着者の頭部とかつら１００−１との境界部分を、更に視認されにくくすることができる。
【００４３】
＜第２実施形態＞
図３は、本発明の第２実施形態に係るかつら２００を示す右側面図である。
本実施形態のかつらベース２及びかつら２００は、かつらベース本体４０の周縁に設けられた複数の切り込み４７により複数の突出部４６がかつらベース本体４０と一体に帯状に形成されていること以外、図１Ａ及び図１Ｂに示すかつらベース１及びかつら１００と共通する。そのため、相違点のみについて説明する。
【００４４】
図３に示すかつら２００は、かつらベース２と、このかつらベース２に植毛された毛髪２０１と、を備える。
かつらベース２は、突出部４６が一体に形成されたかつらベース本体４０を備える。
【００４５】
かつらベース本体４０は、中央部４１と、左側頭部４２と、後頭部４３と、図３では見えない右側頭部と、生え際部４５と、を有する。
左側頭部４２と、後頭部４３と、右側頭部とにおけるかつらベース本体４０の周縁には、複数の切り込み４７が設けられている。この切り込み４７によって、突出部４６がかつらベース本体４０と一体に帯状に形成されている。なお、切り込み４７は、例えばハサミによって形成される幅のない切り込みであるが、幅を有する切り込みとしてもよい。また、切り込み４７を形成した部分にほつれが生じないように、切り込み４７を形成した部分には、縫い止めや溶着止めなどを行うとよい。
【００４６】
突出部４６は、可撓性を有する。突出部４６の材料は、特に制限されないが、かつらベース本体４０の左側頭部４２、後頭部４３、右側頭部等と一体であるため、ポリエステルやナイロンが一例として挙げられる。突出部４６は、ネット状であってもよいし、人工皮膚であってもよい。
【００４７】
複数の突出部４６は、かつらベース本体４０の周縁から垂れ下がるように突出する。そして、複数の突出部４６は、長手方向が突出方向（矢印Ｄ）である。突出部４６には、左側頭部４２、後頭部４３、右側頭部等と同様に毛髪２０１が植毛されている。なお、突出部４６の長さは、突出部４６の形成間隔（突出部４６の中心間距離，すなわち切り込み４７の間隔）よりも長いことが望ましい。
【００４８】
以上説明した第２実施形態においても、上述の第１実施形態と同様に、かつらベース２は、毛髪２０１が植毛されるかつらベース本体４０と、毛髪２０１が植毛される複数の突出部４６と、を備える。複数の突出部４６は、かつらベース本体４０から長手方向が突出方向（矢印Ｄ）となるように突出し、可撓性を有する。
【００４９】
そのため、毛髪２０１が植毛される突出部４６が浮き上がるのを防止することができる。よって、本実施形態によっても、突出部４６を、かつらベース本体２の周縁などに形成することで、かつら装着者の頭部とかつら２００との境界部分を視認されにくくすることができる。
【００５０】
また、本実施形態では、複数の突出部４６は、帯状を呈する。そのため、厚みが薄い突出部４６を目立ちにくくすることができる。したがって、かつら装着者の頭部とかつら２００との境界部分を、より一層視認されにくくすることができる。
【００５１】
また、本実施形態では、複数の突出部４６は、複数の切り込み４７によりかつらベース本体４０と一体に形成されている。そのため、簡素な構造で、かつら装着者の頭部とかつら２００との境界部分を視認されにくくすることができる。
【００５２】
＜第２実施形態の変形例＞
図４は、本発明の第２実施形態の変形例に係るかつら２００−１を示す右側面図である。
【００５３】
本変形例のかつらベース２−１及びかつら２００−１は、長さが異なる第１の突出部５６−１及び第２の突出部５６−２が配置されていること以外、図３に示すかつらベース２及びかつら２００と共通する。そのため、相違点のみについて説明する。
【００５４】
図４に示すかつらベース本体５０は、中央部５１と、左側頭部５２と、後頭部５３と、図４では見えない右側頭部と、生え際部５５と、を有する。
左側頭部５２と、後頭部５３と、右側頭部とにおけるかつらベース本体５０の周縁には、複数の切り込み５７が設けられている。この切り込み５７によって、突出部５６−１，５６−２がかつらベース本体５０と一体に帯状に形成されている。
【００５５】
複数の突出部５６−１，５６−２は、第１の突出部５６−１と、この第１の突出部５６−１よりも長さの短い第２の突出部５６−２と、を含む。
複数の突出部５６−１，５６−２は、第１の突出部５６−１の先端により形成される凸部５６ａと、第２の突出部５６−２の先端により形成される凹部５６ｂとが設けられるように配置されている。例えば、１つ又は複数の第１の突出部５６−１の先端により形成される凸部５６ａと、１つ又は複数の第２の突出部５６−２の先端により形成される凹部５６ｂとは、交互に連続するように位置する。
【００５６】
第２の突出部５６−２は、切り込み５７を形成した後に、第１の突出部５６−１よりも短くなるように先端部分を切り取ることで形成するとよい。なお、第１の突出部５６−１は、長手方向が突出方向（矢印Ｄ）であるが、第２の突出部５６−２は、長手方向が突出方向（矢印Ｄ）でなくともよい。また、少なくとも第１の突出部５６−１の長さは、突出部（第１の突出部５６−１又は第２の突出部５６−２）の形成間隔（中心間距離，すなわち切り込み５７の間隔）よりも長いことが望ましい。
【００５７】
以上説明した第２実施形態の変形例では、複数の突出部５６−１，５６−２は、第１の突出部５６−１と、この第１の突出部５６−１よりも長さの短い第２の突出部５６−２と、を含む。そのため、突出部５６−１，５６−２を目立ちにくくすることができる。したがって、かつら装着者の頭部とかつら２００−１との境界部分を、より一層視認されにくくすることができる。
【００５８】
また、本変形例では、複数の突出部５６−１，５６−２は、第１の突出部５６−１の先端により形成される凸部５６ａと、第２の突出部５６−２の先端により形成される凹部５６ｂとが設けられるように配置されている。そのため、突出部５６−１，５６−２を更に目立ちにくくすることができる。したがって、かつら装着者の頭部とかつら２００−１との境界部分を、更に視認されにくくすることができる。
【００５９】
＜第３実施形態＞
図５は、本発明の第３実施形態に係るかつら３００を示す平面図である。
本実施形態のかつらベース３及びかつら３００では、かつらベース本体６０が地毛引き出し領域である開口部６５を有し、突出部７１が開口部６５に位置する構成において第１実施形態と主に相違する。そのため、共通点の説明は省略する。
【００６０】
図３に示すかつら３００は、かつらベース３と、このかつらベース３に植毛された毛髪３０１と、を備える。なお、図３においても、かつらベース３を見えやすくするため、毛髪３０１は、４本のみ図示する。
【００６１】
かつらベース３は、かつらベース本体６０と、このかつらベース本体６０とは別体に配置された突出部結合体７０と、を備える。
かつらベース本体６０は、前頭部６１と、後頭部６２と、分け目部６３と、周縁部６４と、開口部６５と、を有する。前頭部６１、後頭部６２、分け目部６３、及び周縁部６４のそれぞれには、毛髪３０１が植毛される。
【００６２】
前頭部６１及び後頭部６２は、それぞれ開口部６５を挟んで前方又は後方に位置する。分け目部６３は、例えば中央より左寄りにおいて、かつらベース本体６０の前端から後頭部６２の前端に亘って配置されている。
【００６３】
周縁部６４は、かつらベース本体６０の周縁のうち分け目部６３の前端を除く部分に配置されている。
開口部６５は、分け目部６３を挟んだ両側に位置する。図３では、分け目部６３が中央より左寄りに配置されているため、右側の開口部６５が左側の開口部６５よりも大きい。開口部６５を地毛引き出し領域として用いるためには、例えば、１平方ｃｍ以上の開口面積を有することが望ましい。なお、前頭部６１は、左右の開口部６５のうち右側の開口部６５のみと隣接する。
【００６４】
あくまで一例ではあるが、前頭部６１及び後頭部６２はネットであり、分け目部６３は人工皮膚である。周縁部６４は、前頭部６１や後頭部６２を折り返して形成してもよいし、これらとは別体の部材としてもよい。
【００６５】
突出部結合体７０は、毛髪３０１が植毛される複数の突出部７１と、これら複数の突出部７１が固定されるベース部７２と、を有する。突出部結合体７０は、右側の開口部６５において、３つ配置されている。２つの突出部結合体７０は、右側の開口部６５の左端及び右端に配置されている。残り１つの突出部結合体７０は、右側の開口部６５の中央において前後に架け渡されている。
【００６６】
右側の開口部６５の左端及び右端に配置された２つの突出部結合体７０では、ベース部７２が開口部６５の左端及び右端に位置し、突出部７１が開口部６５側に突出する。
右側の開口部６５の中央に架け渡された残り１つの突出部結合体７０では、ベース部７２が開口部６５の中央に架け渡され、突出部７１がベース部７２の左右両側において開口部６５側に突出する。
【００６７】
このように、３つの突出部結合体７０の突出部７１は、いずれも開口部６５に位置する。
ベース部７２は、帯状を呈する。ベース部７２のかつらベース本体６０に対する固定は、例えば、縫い付け、接着などの任意の手法により行われればよい。
【００６８】
突出部結合体７０がかつらベース本体６０に取り付けられた状態で、複数の突出部７１は、かつらベース本体６０の開口部６５において垂れ下がるように突出する。そして、複数の突出部７１は、長手方向が突出方向（矢印Ｄ）である。また、突出部７１は、かつらベース本体６０の開口部６５において垂れ下がるため、突出方向（矢印Ｄ）は下方であるが、かつら３００が装着者に装着された状態では、装着者の頭部形状に沿う方向となる。なお、突出部７１の長さは、ベース部７２における突出部７１の固定間隔（中心間距離）よりも長いことが望ましい。
【００６９】
以上説明した第３実施形態においても、上述の第１実施形態と同様に、かつらベース３は、毛髪３０１が植毛されるかつらベース本体６０と、毛髪３０１が植毛される複数の突出部７１と、を備える。複数の突出部７１は、かつらベース本体６０から長手方向が突出方向（矢印Ｄ）となるように突出し、可撓性を有する。
【００７０】
そのため、毛髪３０１が植毛される突出部７１が浮き上がるのを防止することができる。よって、本実施形態によっても、かつら装着者の頭部とかつら３００との境界部分を視認されにくくすることができる。
【００７１】
また、本実施形態では、かつらベース本体６０は、地毛引き出し領域である開口部６５を有し、突出部７１は、開口部６５に位置する。そのため、かつらベース本体６０の開口部６５における浮き上がりを防止することができる。したがって、かつら装着者の頭部とかつら３００との境界部分を、より一層視認されにくくすることができる。
【符号の説明】
【００７２】
１      かつらベース
２      かつらベース
３      かつらベース
１０      かつらベース本体
１１      中央部
１２      左側頭部
１３      後頭部
１４      右側頭部
１５      生え際部
２０      突出部結合体
２１      突出部
２１ａ      膨出部
２２      ベース部
３０      突出部結合体
３１−１      第１の突出部
３１−２      第２の突出部
３１ａ      凸部
３１ｂ      凹部
３２      ベース部
４０      かつらベース本体
４１      中央部
４２      左側頭部
４３      後頭部
４５      生え際部
４６      突出部
４７      切り込み
５０      かつらベース本体
５１      中央部
５２      左側頭部
５３      後頭部
５５      生え際部
５６−１      第１の突出部
５６−２      第２の突出部
５６ａ      凸部
５６ｂ      凹部
５７      切り込み
６０      かつらベース本体
６１      前頭部
６２      後頭部
６３      分け目部
６４      周縁部
６５      開口部
７０      突出部結合体
７１      突出部
７２      ベース部
１００      かつら
１０１      毛髪
１０１ａ      結び目
２００      かつら
２０１      毛髪
３００      かつら
３０１      毛髪
【図１Ａ】
2015096659.tif 000003
【図１Ｂ】
2015096659.tif 000004
【図１Ｃ】
2015096659.tif 000005
【図２】
2015096659.tif 000006
【図３】
2015096659.tif 000007
【図４】
2015096659.tif 000008
【図５】
2015096659.tif 000009